(57)【要約】【課題】特定多数の通信先情報の中から、所望の通信先情報を検索する効率を向上させる通信端末装置および通信先情報の取得と表示方法を提供する。【解決手段】通信先の情報を取得、発信するための通信手段１と、通信手段１が通信している通信先情報を取得するための通信先情報取得手段２と、通信手段１が通信した日付および時刻や時間を取得する日付時刻取得手段３と、通信先情報取得手段２および前記日付時刻取得手段３で取得した情報を格納する通信情報管理手段４とを有し、通信情報管理手段４で管理された通信先情報と同一の通信先情報と通信した場合は、その最終通信日時を格納し前記同一の通信先情報の最終通信日時を更新する。  また表示手段５と、表示手段５に表示する情報を通信情報管理手段４から抽出するための条件を管理する表示設定管理手段６を有することで、表示設定管理手段６で設定された条件で通信情報管理手段４の格納情報を表示する。【選択図】図１
2007006075.tif 000002
【特許請求の範囲】
【請求項１】
外部に対して情報を取得し、発信するための通信手段と、前記通信手段が通信している通信先情報を取得するための通信情報取得手段と、前記通信手段が通信した日付および時刻や時間を取得する日付時刻取得手段と、前記通信情報取得手段および前記日付時刻取得手段で取得した情報を格納する通信情報管理手段とを有し、前記通信情報管理手段は、登録された通信先情報と同一の通信先情報からの着信、または同一の通信先情報への発信があった場合は、前記日付時刻取得手段で取得した情報を前記通信情報管理手段に格納し前記同一の通信先情報の最終通信日時を更新することを特徴とする通信端末装置。
【請求項２】
通信先情報取得手段が取得する情報は電話番号、または電子メールアドレス、またはＭＡＣアドレスなど使用者または使用機器を特定できる情報であることを特徴とする請求項１記載の通信端末装置。
【請求項３】
表示手段と、前記表示手段に表示する情報を、通信情報管理手段から抽出するための条件を管理する表示設定管理手段とを有し、前記表示設定管理手段で設定された条件で前記通信情報管理手段の格納情報を選択して表示することを特徴とする請求項１または請求項２記載の通信端末装置。
【請求項４】
表示設定管理手段で設定する条件は、現在日付から過去何日前を抽出境界とするかを決定するための日数、およびその境界日以前または以後の通信先を抽出するのかを決定するための指定が含まれていることを特徴とする請求項１乃至請求項３のいずれかに記載の通信端末装置。
【請求項５】
外部に対して情報を取得し、発信する手順と、前記通信手段が通信している通信先情報を取得するための通信情報取得手順と、前記通信手段が通信した日付および時刻や時間を取得する日付時刻取得手順と、前記通信情報取得手順および前記日付時刻取得手順で取得した情報を格納する通信情報管理手順とを有し、前記通信情報管理手順は、登録された通信先情報と同一の通信先情報からの着信、または同一の通信先情報への発信があった場合は、前記日付時刻取得手順で取得した情報を前記通信情報管理手順で格納し前記同一の通信先情報の最終通信日時を更新することを特徴とする通信端末装置の通信情報取得方法。
【請求項６】
通信先情報取得手順が取得する情報は電話番号、または電子メールアドレス、またはＭＡＣアドレスなど使用者または使用機器を特定できる情報であることを特徴とする請求項５記載の通信端末装置の通信情報取得方法。
【請求項７】
請求項５または６記載の通信端末装置の通信先情報取得方法により取得され、通信情報管理手順で格納された情報を、抽出するための条件を管理する表示設定管理手順を有し、前記表示設定管理手順で設定された条件で通信情報管理手順の格納情報を表示することを特徴とする通信端末装置の通信先情報表示方法。
【請求項８】
表示設定管理手順で設定する条件は、現在日付から過去何日前を抽出境界とするかを決定するための日数、およびその境界日以前または以後の通信先を抽出するのかを決定するための指定が含まれていることを特徴とする請求項７記載の通信端末装置の通信先情報表示方法。
【発明の詳細な説明】
【技術分野】
【０００１】
本発明は、通信先情報を検索する効率を向上させた通信端末装置および通信先情報の取得と表示方法に関するものである。
【背景技術】
【０００２】
従来の通信機能を有する端末装置においては、電子メールや電話が着信した場合は、相手先のメールアドレスや電話番号など通信先情報を取得し、その通信先情報がアドレス帳に登録されている場合は、アドレス帳の構成要素である通信回数カウンターを更新していた。通信回数カウンターは、カウント数の多い通信先情報を優先的にユーザーに提示する等の方法で用いられていた。
【０００３】
この種の技術の参考となるものに、特許文献１がある。
【０００４】
この特許文献１では、アドレス帳などに保持された登録者の中から通信頻度の高いメンバーを優先的に表示するために、通信回数カウンターを１通信ごとに更新して、アドレス帳の表示時に通信先情報を頻度数で並べ替える技術が開示されている。
【特許文献１】特開平５−３５６８７号公報
【発明の開示】
【発明が解決しようとする課題】
【０００５】
しかしながら、アドレス帳などに保持された登録者の中から通信頻度の高いメンバーを優先的に表示する際に通信回数カウンターを検索キーとした場合、時間や時刻の概念がないため、近々での通信実績がなくとも過去に大量の通信実績があった通信先情報は、いつまでも表示対象として検索されるという課題があった。
【０００６】
本発明は、過去に通信した電子メールや音声通話の着信日時などの通信情報を有効に利用し、特定多数の通信先情報の中から、所望の通信先情報を検索する効率を向上させる通信端末装置、および通信先情報の取得と表示方法を提供することを目的とする。
【課題を解決するための手段】
【０００７】
上記課題を解決するために、本発明の通信端末装置は、外部に対して情報を送受信するための通信手段と、通信手段が通信している通信先を特定する情報を取得するための通信先情報取得手段と、通信手段が通信した日付および時刻や時間を取得する日付時刻取得手段と、通信先情報取得手段および前記日付時刻取得手段で取得した情報を格納するとともに、同一の通信先との最終通信日時を更新する通信情報管理手段とを有することで、アドレス帳で管理された登録者と通信した場合は、その最終通信日時をアドレス帳に記憶し、その情報を所望の通信先情報を容易に検索するためのキーに用いることができる。
【０００８】
なお、最終通信日時をアドレス帳に登録するタイミングは、登録者からの電子メール着信や電話着信、および登録者への電子メール発信や電話発信が考えられる。
【０００９】
また表示手段と、表示手段に表示する情報を通信情報管理手段から抽出するための条件を設定する表示設定管理手段とを有することで、表示設定管理手段で設定された条件で、通信情報管理手段の格納情報を選択して表示することができる。
【００１０】
なお、表示設定管理手段で設定する条件は、現在日付から過去何日前を抽出境界とするかを決定するための日数、およびその境界日以前または以後の通信先を抽出するのかを決定するための指定が考えられる。
【発明の効果】
【００１１】
本発明の通信端末装置および通信先情報の取得と表示方法によれば、過去に通信した電子メールや音声通話の着信日時など通信情報を有効に利用し、特定多数の通信先へ発信する際、所望の通信先情報を検索する効率を向上させることができる。
【発明を実施するための最良の形態】
【００１２】
以下、本発明の実施の形態を、図面を参照しながら説明する。
【００１３】
（実施の形態１）
図１は、本発明の一実施の形態における通信端末装置の構成図である。
【００１４】
図１において、１は外部に対して情報を取得、発信するための通信手段、２は通信手段１が通信している通信先情報を取得するための通信先情報取得手段、３は通信手段１が通信した日付および時刻や時間を取得する日付時刻取得手段、４は通信先情報取得手段２および日付時刻取得手段３で取得した情報を格納する通信情報管理手段、５は表示手段、６は表示手段５に表示する情報を、通信情報管理手段４から抽出するための条件を管理する表示設定管理手段である。
【００１５】
図２は、図１における通信情報管理手段４と表示設定管理手段６の内部構造を示すようにした構成図である。
【００１６】
図２において、通信情報管理手段４は、通信相手を示す名前１００と、名前１００に関連付けられた一種ないし複数種の通信先情報１０１、さらに最後に通信を行った日を記録する最終通信日１０２によって構成されるレコードを複数保持するアドレス帳１０３を持つ。通信先情報１０１は、例えば電話番号、または電子メールアドレス、またはＭＡＣアドレスなど、通信手段１が使用者または使用機器を特定できる情報であることを特徴とする情報で構成される。通信手段１が通信した相手の情報は、通信先情報取得手段２によって取得でき、また、通信手段１が通信した日付および時刻は、日付時刻取得手段３により取得できる。通信情報管理手段４は、通信手段１が新たに通信を行ったときに、通信先情報取得手段２から取得した通信先情報とアドレス帳１０３に含まれる通信先情報１０１とを照合し、一致するレコードの最終通信日１０２に、日付時刻取得手段３により取得した日付を記録し更新する。なお、この際、カウンターを設け、一致するレコードの通信回数をカウントするようにしてもよい。
【００１７】
ユーザーは表示設定管理手段６が参照する表示日数１０４を任意に、表示方法１０５を「設定日以降」もしくは「設定日以前」から選んで設定できる。表示設定管理手段６は、設定された表示日数１０４および表示方法１０５の条件を最終通信日１０２と照らし合わせ、合致するレコードすべてを通信情報管理手段４から取得し、表示手段５に任意の方法で並び替えて渡す。表示手段５はユーザーの求めるときに、表示設定管理手段６より渡された通信先情報１０１を表示する。
【００１８】
図３は、第１の実施の形態における、通信端末装置の通信先情報の取得と表示方法を示すフローチャートである。
【００１９】
図３において、ユーザーが通信端末装置のアドレス帳表示機能を呼び出した時に、手順２００で、現在設定されている表示日数１０４を、手順２０１で、現在設定されている表示方法１０５を設定し、手順２０２で、アドレス帳１０３の全レコードを取得する。手順２０３で、現在設定されている表示方法１０５に従って、「設定日以降」ならば手順２０４、「設定日以前」ならば手順２０５を実行する。手順２０４は、最終通信日が表示日数１０４より古いレコードを手順２０２で取得したアドレス帳１０３から選択し、手順２０５は、逆に表示日数１０４より新しいレコードを取得したアドレス帳１０３から選択する。いずれかの処理を終えた後、手順２０６で、例えば五十音順や、通信回数カウンター順などに並び替え、手順２０７で、表示手段５の画面に表示して終了する。そして、ユーザーは表示手段５に表示されたアドレス帳から所望の通信相手先を選択する。
【００２０】
ここで、「設定日以降」の設定は、主に最近頻繁に通信する相手の情報を抽出するために、「設定日以前」の設定は、主に頻度は高くないがある一定の周期で連絡する必要がある相手を抽出するために用いることができる。
【００２１】
この場合、「設定日以前」または「設定日以降」のレコードを必要に応じ一括して削除することも可能である。
【００２２】
このように、表示日数を設定することにより、表示される通信相手先が絞り込まれるため、ユーザーは所望の通信相手先を容易に選択することができ、検索する効率が向上する。
【産業上の利用可能性】
【００２３】
本発明における通信端末装置および通信先情報の取得と表示方法は、過去に通信した電子メールや音声通話の着信日時など通信情報を有効に利用し、アドレス帳に保存された特定多数の通信先から所望の通信先、特に頻繁に通信する通信先、あるいは、頻度は高くないが定期的に通信する通信先を検索する際のユーザーの負担を軽減することができるため、アドレス帳機能を備えた通信端末装置として有用である。
【図面の簡単な説明】
【００２４】
【図１】本発明の一実施の形態における通信端末装置の構成図
【図２】本発明の一実施の形態における通信端末装置の通信情報管理手段と表示設定管理手段の内部構造の構成図
【図３】本発明の一実施の形態における通信端末装置の通信先情報の取得と表示方法を示すフローチャート
【符号の説明】
【００２５】
１  通信手段
２  通信先情報取得手段
３  日付時刻取得手段
４  通信情報管理手段
５  表示手段
６  表示設定管理手段
１００  通信相手を示す名前
１０１  通信先情報
１０２  最終通信日
１０３  アドレス帳
１０４  表示日数
１０５  表示方法
【図１】
2007006075.tif 000003
【図２】
2007006075.tif 000004
【図３】
2007006075.tif 000005